(57)【要約】【課題】カメラ自身を撮影することに適したカメラを提供する。【解決手段】カメラ自身の外観形状、または特徴を記録したカメラ外観データ部４ｂと、撮影画像の像信号とカメラ外観データ部４ｂに記録された外観形状または特徴に類似する像部分を検出する比較判定部１ａと、この比較判定部１ａによって外観形状または特徴に類似する像部分を、撮像画中に検出した際に、撮影画像の中から、カメラ自身を切り出すトリミング部１ｂを有する。【選択図】  図１
2010124085.tif 000002
【特許請求の範囲】
【請求項１】
カメラ自身の外観形状、または特徴を記録した記録部と、
撮影画像の像信号から、上記記録部に記録された上記外観形状または上記特徴に類似する像部分を検出する検出部と、
上記検出部によって上記外観形状または上記特徴に類似する像部分を、上記撮像画中に検出した際に、上記撮影画像の中から、所定画像部分を切り出す画像切出部と、
を有することを特徴とするカメラ。
【請求項２】
上記画像切出部は、上記所定画像部分として、上記検出部によって検出された上記像部分を、画面中央となるように切り出すことを特徴とする請求項１に記載のカメラ。
【請求項３】
上記記録部に記録されている外観形状、または上記特徴は、上記カメラ自身が左右反転した時の外観形状または特徴であり、上記検出部は上記カメラ自身を鏡に映した時のカメラ自身を検出することを特徴とする請求項１に記載のカメラ。
【請求項４】
上記記録部は、さらに、上記画像切出部によって切り出された画像を、左右反転し、記録することを特徴とする請求項３に記載のカメラ。
【請求項５】
上記カメラは、さらに、
撮影操作後、所定時間後に撮影を行うセルフタイマ部と、
上記検出部が上記類似部分を検出した場合に、上記セルフタイマ部による上記撮影を制御するセルフタイマ制御部と、
を有することを特徴とする請求項１に記載のカメラ。
【請求項６】
上記カメラは、さらに、撮影操作後、所定時間後に撮影を行うセルフタイマ部を有し、上記セルフタイマ部によって上記撮影を行う際に、上記検出部によって上記類似する像部分を検出することを特徴とする請求項１に記載のカメラ。
【請求項７】
カメラ自身の外観に関する外観データを記録した記録部と、
被写体像の像信号と、上記外観データを比較し、上記被写体像の中に上記カメラ自身が含まれているかを検出する検出部と、
上記検出部によって上記カメラ自身を検出した場合には、カメラ自身に関する画像を左右反転させる画像処理部と、
を有することを特徴とするカメラ。
【請求項８】
カメラ自身の外観に関する外観データを記録した記録部と、
被写体像の像信号と、上記外観データを比較し、上記被写体像の中に上記カメラ自身が含まれているかを検出する検出部と、
上記検出部によって上記カメラ自身を検出した場合には、セルフタイマモードに自動設定する第１制御部と、
を有することを特徴とするカメラ。
【請求項９】
カメラ自身の外観に関する外観データを記録した記録部と、
被写体像の像信号と、上記外観データを比較し、上記被写体像の中に上記カメラ自身が含まれているかを検出する検出部と、
上記検出部によって上記カメラ自身を検出した場合には、ストロボオフモードに自動設定する第２制御部と、
を有することを特徴とするカメラ。
【請求項１０】
カメラ自身の外観に関する外観データを記録した記録部と、
被写体像の像信号と、上記外観データを比較し、上記被写体像の中に上記カメラ自身が含まれているかを検出する検出部と、
上記検出部によって上記カメラ自身を検出した場合には、カメラ自身を撮影するに適した撮影モードで撮影する第３制御部と、
を有することを特徴とするカメラ。
【発明の詳細な説明】
【技術分野】
【０００１】
本発明は、カメラに関し、詳しくは、カメラ自身を撮影するに適したカメラに関する。
【背景技術】
【０００２】
近年、カメラのデジタル化が進み、画像データとして取り扱えることから、撮影画像を、電子メールに添付したり、またブログやＳＮＳ（Social Network Service）に添付する等、種々の用途が広がってきている。このような背景から、生活の記録手段として、カメラを日常的に持ち歩くユーザが多くなってきており、カメラにアクセサリを付けたり、様々な装飾を施して楽しむユーザも増えてきている。
【０００３】
カメラに様々な装飾を楽しむものとして、例えば、特許文献１には、カメラの外装部材の表面の一部に撮影画像をデザイン用として表示できるようにしたカメラが開示されている。このカメラでは、デザインを所有者の趣味に合わせ、また好適なデザインに変更することができる。
【特許文献１】特許第３９３０９６８号
【発明の開示】
【発明が解決しようとする課題】
【０００４】
カメラそのものをカスタマイズすることは提案されているが、カスタマイズしたカメラそのものをブログやＳＮＳにアップする場合には、別のカメラで、カメラを撮影するしかなかった。つまり、２台目のカメラが手元にないと、カスタマイズしたカメラの撮影することができず、不便であった。
【０００５】
本発明は、このような事情を鑑みてなされたものであり、カメラ自身を撮影することに適したカメラを提供することを目的とする。
【課題を解決するための手段】
【０００６】
上記目的を達成するため第１の発明に係わるカメラは、カメラ自身の外観形状、または特徴を記録した記録部と、撮影画像の像信号から、上記記録部に記録された上記外観形状または上記特徴に類似する像部分を検出する検出部と、上記検出部によって上記外観形状または上記特徴に類似する像部分を、上記撮像画中に検出した際に、上記撮影画像の中から、所定画像部分を切り出す画像切出部と、を有する。
【０００７】
第２の発明に係わるカメラは、上記第１の発明において、上記画像切出部は、上記所定画像部分として、上記検出部によって検出された上記像部分を、画面中央となるように切り出す。
【０００８】
第３の発明に係わるカメラは、上記第１の発明において、上記記録部に記録されている外観形状、または上記特徴は、上記カメラ自身が左右反転した時の外観形状または特徴であり、上記検出部は上記カメラ自身を鏡に映した時のカメラ自身を検出する。
第４の発明に係わるカメラは、上記第３の発明において、上記記録部は、さらに、上記画像切出部によって切り出された画像を、左右反転し、記録する。
【０００９】
第５の発明に係わるカメラは、上記第１の発明において、上記カメラは、さらに、撮影操作後、所定時間後に撮影を行うセルフタイマ部と、上記検出部が上記類似部分を検出した場合に、上記セルフタイマ部による上記撮影を制御するセルフタイマ制御部と、を有する。
【００１０】
第６の発明に係わるカメラは、上記第１の発明において、上記カメラは、さらに、撮影操作後、所定時間後に撮影を行うセルフタイマ部を有し、上記セルフタイマ部によって上記撮影を行う際に、上記検出部によって上記類似する像部分を検出する。
【００１１】
第７の発明に係わるカメラは、カメラ自身の外観に関する外観データを記録した記録部と、被写体像の像信号と、上記外観データを比較し、上記被写体像の中に上記カメラ自身が含まれているかを検出する検出部と、上記検出部によって上記カメラ自身を検出した場合には、カメラ自身に関する画像を左右反転させる画像処理部と、を有する。
【００１２】
第８の発明に係わるカメラは、カメラ自身の外観に関する外観データを記録した記録部と、被写体像の像信号と、上記外観データを比較し、上記被写体像の中に上記カメラ自身が含まれているかを検出する検出部と、上記検出部によって上記カメラ自身を検出した場合には、セルフタイマモードに自動設定する第１制御部と、を有する。
【００１３】
第９の発明に係わるカメラは、カメラ自身の外観に関する外観データを記録した記録部と、被写体像の像信号と、上記外観データを比較し、上記被写体像の中に上記カメラ自身が含まれているかを検出する検出部と、上記検出部によって上記カメラ自身を検出した場合には、ストロボオフモードに自動設定する第２制御部と、を有する。
【００１４】
第１０の発明に係わるカメラは、カメラ自身の外観に関する外観データを記録した記録部と、被写体像の像信号と、上記外観データを比較し、上記被写体像の中に上記カメラ自身が含まれているかを検出する検出部と、上記検出部によって上記カメラ自身を検出した場合には、カメラ自身を撮影するに適した撮影モードで撮影する第３制御部と、を有する。
【発明の効果】
【００１５】
本発明によれば、カメラ自身を撮影することに適したカメラを提供することができる。
【発明を実施するための最良の形態】
【００１６】
以下、図面に従って本発明を適用したデジタルカメラを用いて好ましい一実施形態について説明する。図１は、本発明の一実施形態に係わるカメラ１０の回路構成を示すブロック図である。
【００１７】
このカメラ１０は、画像処理及び制御部１、撮像部２、記録部４、操作判定部６、表示部８、時計部９、通信部１２、およびストロボ２２から構成されている。撮像部２は撮影レンズや撮像素子、撮像素子の駆動及び読出回路等を含み、撮影レンズによって形成された被写体像を撮像素子によって画像データに変換する。
【００１８】
画像記録部４は、撮像部２から出力され、後述する画像処理及び制御部１で画像処理された画像データの記録を行う。また、記録にあたっては、後述する時計部９から出力される日時情報に基づく撮影日時情報や、比較判定部１ａによって判定された顔情報等も併せて記録する。なお、ＧＰＳ等の位置検出部を有するカメラであれば、撮影位置も併せて記録するようにしても良い。
【００１９】
また、記録部４内には、カメラ外観データ部４ｂが設けられている。この外観データ部４ｂに記録されているカメラ外観データは、カメラ自身の外観の形状や色を示すデータであり、画像データの中にカメラ自身が映っているか否かの判定の際に使用される。このカメラ外観データは、カメラ１０自身の外観を左右反転させた画像データであり、またこの外観データは工場出荷時に記録される。また、記録部４内には、顔データ記録部４ｃが設けられている。この顔データは一般的な人物の顔を示すデータであり、画像データの中に顔画像が含まれているか否かの判定の際に使用される。
【００２０】
画像処理及び制御部１は、記憶されているプログラムに従ってカメラ１０の全体のシーケンスを制御する。また、撮像部２から出力される画像データの画像処理を行う。画像処理及び制御部１内には、比較判定部１ａおよびトリミング部１ｂが設けられている。比較判定部１ａは、撮像部２から出力される画像の中に、カメラ外観データ部４ｂに記憶されているカメラ外観と一致もしくは類似する部分があるか否かを判定する。したがって、撮影画像の中に、カメラ自身が映っている場合には、その旨が判定される。
【００２１】
また、比較判定部１ａは、撮影部２から出力される画像の中に、顔データ部４ｃに記憶されている顔データと一致もしくは類似する部分があるか否かを判定する。したがって、撮影画像の中に顔画像があるとその旨が判定される。トリミング部１ｂは、比較判定部１ａによってカメラ外観と一致もしくは類似する部分があることが判定された場合に、そのカメラの部分を画像データからトリミングを行う。
【００２２】
操作判定部６はレリーズ釦、再生釦、セルフタイマ釦等の操作部材の操作状態を判定し、判定結果は、画像処理及び制御部１に送信する。前述の画像処理及び制御部１は、操作判定部６による判定結果に応じてカメラ１０の制御を行う。表示部８は、液晶モニタ等の表示パネルを有し、この表示部８に記録部４に記録されている画像を再生表示し、また撮影前には撮像部２からの画像データに基づいていわゆるライブビュー表示を行う。撮影者は表示部８上のライブビュー表示を観察しながら、構図や撮影タイミングの確認を行うことができる。
【００２３】
時計部９は、日時情報を出力する。この日時情報は前述したように画像データを記録部４に記録する際に併せて記録される。通信部１２は、記録部４に記録されている撮影画像の画像データ等を外部に送信する。通信手段としては、赤外通信や無線ＬＡＮ等の無線通信や、ＵＳＢ等による有線通信を使用することができる。ストロボ２２は、被写体に対して補助光を照明する内蔵の補助照明装置である。なお、ストロボ２２は、内蔵に限らず、外付け式であっても良い。
【００２４】
次に、このカメラ１０の外観について図２を用いて説明する。図２（ａ）は、外観に何も装飾を行っていない状態における正面図である。近年、防水構造に対する開発も進み、カメラを水洗いできるような仕様の製品も登場しており、カメラ１０はそのような機種を想定したデザインを示している。カメラ１０の上面にはレリーズ釦２１が配置され、また正面左上にはストロボ２２が配置され、正面右上には撮影レンズ２３が配置されている。
【００２５】
この撮影レンズ２３は、カメラ１０の内部で図中の破線部にズーミングを行うためのズームレンズ光学系２４を有している。内部でズーミングを行うことにより機密性を高めている。また、カメラ１０の内部で図中の斜線部に電池やメモリ等の収納部２５を配置している。ズームレンズ光学系２４や収納部２５の外装表面は、平面もしくは曲面で構成でき、カメラ１０のユーザによってデザイン化し、カスタマイズすることができる。
【００２６】
例えば、図２（ｂ）はカメラ１０の正面にシール２７を貼った状態であり、図２（ｃ）は絵２８を描いた状態を示す。使用する時期に合わせて、カメラ１０の外観をユーザ自身がデザインすることができる。例えば、夏休みには、図２（ｂ）に示すような海をイメージさせるカメラを持ち、また、パーティには、図２（ｃ）に示すようなカメラ１０を持って出かけると、行先で話題になり、会話も弾むことになる。カメラ１０が防水構造の場合には、カメラ１０全体を丸洗いすることができ、シール２７の接着剤や絵２８の絵の具を簡単に洗い流すことができる。なお、シール２７や絵２８は、カメラ１０の正面に限らず、他の面でも良く、例えば、図２（ｄ）に示すように、カメラ１０の側面１０ｂに、シール２９を貼るようにしても良い。
【００２７】
次に、このような本実施形態におけるカメラ１０自身の撮影方法について、図３ないし図５を用いて説明する。オリジナルデザインのカメラ１０は、単に撮影時に見てもらうだけではなく、ブログやＳＮＳにおいても紹介したくなる。この場合、別のカメラで撮影するよりは、カメラ１０自身によって撮影するのが便利である。そこで、図３に示すように、鏡１１の前にカメラ１０を置き、鏡１１に映っているカメラの像１０ａを撮影する。この場合、ユーザは表示部８にライブビュー表示されるカメラの像１０ｂを見ながら、構図を決める。
【００２８】
ただし、鏡１１に映ったカメラの像１０ａは左右反転しており、また、撮影時にストロボ２２が発光すると、鏡１１からストロボ２２の反射光が撮影画面に映りこんでしまい、きれいな撮影結果とはならない。さらに、撮影にあたって、シャッタレリーズ釦２２を操作した際に撮影者が一緒に写りこんでしまうのも気になる。そこで、本実施形態においては、後述するように、カメラ自身の画像を記録する際には、撮影時の左右反転画像を反転させ、左右の関係を元の画像に戻している。また、このような状況で撮影された場合には、セルフタイマモードに自動設定し、撮影者が一緒に映らないように移動する時間を与え、また、ストロボ２２の発光を禁止している。
【００２９】
さらに、カメラ１０の正面を撮影する場合には、図４（ａ）（ｂ）に示すように、表示部８の画面の中央にカメラの像１０ｂを配置することができる。しかし、カメラ１０の側面も見せるように撮影したい場合には、図５（ａ）に示すように、カメラ１０と鏡１１の間で角度θの範囲が撮影され、矢印Ａはカメラ本体が鏡１１に映る方向である。カメラ本体は、図５（ｂ）に示すように、矢印Ａが一方に偏っていることから、画面周辺に映ることになる。これはカメラ１０を撮影した画像としては、いかにもバランスが悪い。そこで、本実施形態においては、後述するようにカメラ自身を撮影した場合には、カメラ１０が画面の中心に位置するように画像のトリミングを行うようにしている。
【００３０】
カメラ１０自身の撮影画像は、図６（ａ）に示すように、カメラ１０からパーソナルコンピュータ（ＰＣ）１５に転送される。転送にあたっては、図６（ａ）の例では、通信部１２を介して、カメラ１０をＰＣ１５に近づけると近接無線通信等によって行う。勿論、この例以外にも、ワイヤレスＬＡＮや赤外線通信等でもよく、また有線通信であっても良い。ＰＣ１５を介して、ブログやＳＮＳにカメラ１０をアップロードすることにより、愛機を他人に紹介することができる。
【００３１】
また、本実施形態においては、図５（ｂ）に示すようにカメラ１０以外の被写体が映っている場合であっても、カメラ１０において、カメラ１０の部分をトリミングし、図６（ａ）のＰＣ１５の表示部１５ａに示すような画像を生成する。このため、ブログやＳＮＳに相応しいカメラ１０の紹介を行うことができる。
【００３２】
なお、カメラ１０からＰＣ１５へ転送するカメラ１０の画像としては、図６（ａ）に示すように、カメラ１０単体のトリミング画像に限らず、例えば、図６（ｂ）に示すように、トリミング画像３１とトリミング前の画像３２の両方を並置するものであっても良い。この場合、公開先や送信先によって、画像３１、３２を適宜選択することができる。また、ブログ等では、顔を出したくない場合も多く、この場合には、画像３３から顔の部分３３ａが入らないように、部分３３ｂをトリミングするようにしても良い。腕や手が入ることにより、愛機を携えている雰囲気を出すことができる。
【００３３】
次に、本実施形態におけるカメラ１０の動作について、図７に示すフローチャートを用いて説明する。カメラ制御のフローに入ると、まず、撮影モードか否かの判定を行う（Ｓ１０１）。この判定の結果、撮影モードに設定されていた場合には、画像の取り込みを行う（Ｓ１０２）。ここでは、撮像部２からの画像データを取り込み、特定形状、すなわちカメラ１０自身の外観が映っているか否かを検出する。この判定は、前述したように、カメラ外観データ部４に記憶されている外観データに基づいて比較判定部１ａが、カメラ１０自身の外観と同一または類似の画像が画像データの中に含まれているかを検出する。
【００３４】
画像の取り込みを行うと、次に、画像表示を行う（Ｓ１０３）。このステップでは、ライブビュー表示用に画像処理された画像データに基づいて、表示部８の表示パネルに表示する。撮影者はこのライブビュー表示を見ながら、構図やシャッタタイミングを決定することができる。
【００３５】
続いて、画像の中に特定形状が含まれているか否かの判定を行う（Ｓ１０４）。ここでは、ステップＳ１０２において行った特定形状検出に基づいて判定する。なお、外観データは、カメラ１０自身を左右反転させた画像データであることから、カメラ１０と同じカメラ１０を持った人の画像を判定する場合であっても、左右が異なっていることから、特定形状を含むとは判定しない。すなわち、鏡１１の前等に配置し、カメラ１０自身を撮影する場合のみ、ステップＳ１０４においてＹＥＳと判定される。
【００３６】
ステップＳ１０４における判定の結果、特定形状が含まれていた場合には、その部分にピント・露出・色調節を行う（Ｓ１０５）。このステップでは、カメラ１０自身の部分にピントが合うように焦点調節を行い、適正露出となるように露出制御を行い、ホワイトバランスも合わせる。続いて、セルフタイマモードに設定する（Ｓ１０６）。ステップＳ１０４において、カメラ１０自身が映っていると判定されていることから、カメラ１０自身のみを撮影できるようにするために、撮影者がレリーズ操作後、カメラ１０から離れる時間がとれるように、セルフタイマモードを自動的に設定している。
【００３７】
ステップＳ１０６においてセルフタイマモードに設定すると、またはステップＳ１０４における判定の結果、特定形状が含まれていなかった場合には、次に、撮影か否かの判定を行う（Ｓ１０７）。ここでは、レリーズ釦が操作され、撮影を行うか否かの判定を行う。この判定の結果、撮影ではなかった場合には、次に、モード設定を行うか否かの判定を行う（Ｓ１０８）。このカメラ１０は、モードメニューや操作部材等により再生モードやセルフタイマモード等の種々のモード設定を行うことができるので、このステップでは、モード設定のための操作がなされたか否かの判定を行う。
【００３８】
ステップＳ１０８における判定の結果、モード設定の操作がなされた場合には、モード設定を行う（Ｓ１０９）。ここでは、操作されたモードに応じて、モード設定を行う。このモード設定を行うと、またはステップＳ１０８における判定の結果、モード設定でなかった場合には、ステップＳ１０１に戻り、前述の動作を実行する。
【００３９】
ステップＳ１０７における判定の結果、レリーズ釦が操作され撮影を行う場合には、次に、セルフタイマモードが設定されているか否かの判定を行う（Ｓ１２１）。セルフタイマモードは、ステップＳ１０６において、自動的に設定される場合や、ステップＳ１０９において、撮影者が手動で設定する場合がある。この判定の結果、セルフタイマモードが設定されていた場合には、次に、所定時間が経過したか否かの判定を行う（Ｓ１３１）。ここでは、ステップＳ１０７において、レリーズ釦が操作された時点からの経過時間が、予め決められているセルタイマ時間を経過したか否かの判定を行い、所定時間が経過するのを待つ。カメラ１０自身の撮影を行っている場合には、セルタイマ時間の間に、撮影者は撮影画像の範囲外に移動することができる。
【００４０】
ステップＳ１３１における判定の結果、所定時間が経過すると、次に、ステップＳ１０４と同様に、画像に特定形状が含まれているか否かの判定を行う（Ｓ１３２）。この判定の結果、特定形状が含まれていた場合には、ストロボオフ撮影を行う（Ｓ１３３）。前述したように、セルフタイマモードの設定は、撮影者が手動で設定する場合もあることから、ステップＳ１３２において、カメラ１０自身の撮影か否かを判定し、カメラ１０自身の撮影の場合には、ステップＳ１３３において、ストロボ２２の発光を禁止している。そして、発光禁止状態で、撮像部２からの画像データを撮影画像データとして取り込む。
【００４１】
ストロボオフ撮影を行うと、続いて、カメラ抽出部分の反転記録を行う（Ｓ１３４）。カメラ１０自身の撮影は、鏡１１に映っているカメラの像１０ａであることから、カメラ１０自身以外の撮影者の顔等の像も含まれている。そこで、このステップにおいて、カメラ１０を抽出するようにトリミング１ｂによってトリミングを行う。また、そのままでは左右が反転しているので、画像の左右反転処理を行う。これの処理を行うと、記録部４に画像データの記録を行う。なお、トリミングは、例えば、画面内、上下左右にカメラの占める部分の１．２倍くらいの幅の部分を切り出すようにしたり、図５（ｂ）に示すように、画面の端部にある場合は、左右の余白幅を揃えるように切り出しを行う。カメラ１０が画面の中心になるようにするが、ステップＳ１３２において行った特定形状の画像判定の結果から決定することが可能である。
【００４２】
ステップＳ１２１における判定の結果、セルフタイマモードでなかった場合、または、ステップＳ１３２における判定の結果、特定形状でなかった場合には、通常の撮影と記録を行う（Ｓ１２２）。すなわち、撮像部２から出力され画像処理及び制御部１によって画像処理された画像データを、記録部４に記録する。ステップＳ１２２における撮影・記録を行うと、またはステップＳ１３４における反転記録を行うと、カメラの制御のフローを終了し、電源がオンであれば、再びステップＳ１０１に戻る。
【００４３】
前後するが、ステップＳ１０１における判定の結果、撮影モードでなかった場合には、次に、再生モードか否かの判定を行う（Ｓ１１１）。この判定の結果、再生モードでなかった場合には、ステップＳ１０１に戻る。一方、判定の結果、再生モードであった場合には、再生を行う（Ｓ１１２）。ここでは、記録部４に記録されている画像データに基づいて、一覧表示を行い、指定された画像を表示部８に表示する。
【００４４】
再生を行うと、次に、通信を行うか否かの判定を行う（Ｓ１１３）。この判定の結果、通信を行う場合には、表示画像を送信する（Ｓ１１４）。ここでは、ステップＳ１１２において指定された画像を、通信部１２を介して外部のＰＣ１５等に送信する。表示画像の送信を行うと、またはステップＳ１１３における判定の結果、通信でなかった場合には、ステップＳ１１１に戻る。
【００４５】
以上、説明したように、本実施形態におけるカメラにおいては、鏡１１等に映ったカメラ１０自身をカメラ１０で撮影することができる。このため、ユーザ愛用のカメラ自身の画像を撮影できるカメラを提供することが出来る。本実施形態においては、設計、製造、出荷時にすでに決まっている、カメラ自身の外観画像や色を元にして判定するので、失敗なく、その製品らしい色なども再現可能で、それに基づいて、ユーザがオリジナルで施した装飾も、正しく再現できる。
【００４６】
また、本実施形態においては、鏡１１を使った撮影でありがちな失敗を防止し、プライバシーを考慮し、さらに図５（ａ）に示すように、鏡１１に対してカメラ１０を傾けた時でも、構図的に問題のないカメラ画像を得ることができる。このようにして得られた画像を、みんなに見せてコミュニケーションを促進することができる。
【００４７】
なお、カメラ制御のフロー中のステップＳ１３２において、カメラ１０を抽出してから記録しているが、抽出をせずにそのまま記録し、記録後、カメラ１０やＰＣ１５等においてカメラ１０を抽出するようにしても勿論かまわない。また、抽出した画像と、未抽出の画像の両方を記録するようにしても良い。
【００４８】
また、カメラ制御のフローにおいては、ステップＳ１３２において、左右反転処理を行ってから記録しているが、左右反転処理を行わず、そのまま記録し、記録後、カメラ１０やＰＣ１５等において左右反転処理を行うようにしても勿論かまわない。また、左右反転処理を行わない画像と、左右反転処理を行った画像の両方を記録するようにしても良い。左右反転処理を行わない場合には、背景の描写も含め、鏡１１に映った感じを重視した写真となる。いずれの処理を行うかは、撮影者が選択できるようにすれば良い。
【００４９】
さらに、カメラ制御のフローにおいては、ステップＳ１０４において、特定形状か否かの判定を行い、特定形状の場合に、ステップＳ１０５、Ｓ１０６を処理していた。しかしこれに限らず、例えば、ステップＳ１０４〜Ｓ１０６を省略し、ステップＳ１０９において、セルフタイマモードが設定された場合のみ、ステップＳ１０５、Ｓ１０６を実行しても良い。
【００５０】
前述したように、ステップＳ１０２において、特定形状を検出し、ステップＳ１０４において特定形状か否かの判定を行っており、このとき、外観データと一致もしくは類似するか否かを判定している。このとき行っている類似画像の検索について、図８および図９を用いて説明する。
【００５１】
図８（ａ）は、カメラ１０の外観を示し、図８（ｂ）（ｃ）は、カメラ１０の外観の一部を拡大した様子を示す。ここでは、各画像をエッジ強調し二値化し、撮像素子の画素レベルまで拡大表示している。所定ピッチで残した黒い部分が、直交する直線に乗る場合、図８（ｄ）（ｅ）に示すように、直交した部分（図中、丸く囲んだ部分）を、特徴点とする。
【００５２】
図９は、図８を用いて説明した特徴点をプロットした図である。図９に示すような特徴点の密度に従って、画像を分割、分類し、特徴点の画面内の分布や、色の関係を特徴情報として、数値化して記録する。この数値化情報と撮影画像を比較することにより、被写体画像がカメラ１０であるか否かを判定することができる。
【００５３】
ただし、図９の斜線部のように、ユーザが自由にデザインできる部分では、前述したような特徴点判定を利用すると誤判定の原因となる。そこで、図８および図９に示したような撮影光学系やストロボ部や外形など、ユーザが手を入れると正しい撮影が出来なくなるような部位（光学部位や窓部）の特徴部だけで判定するようにする。なお、図９に示すような特徴点として判定に使用する部分の画像を、記録部４に記憶しておき、これと撮影画像を比較して一致度が高いかどうかでカメラ１０の画像かどうかを判定してもよい。この場合、カメラ１０の画像は、見たままではなく、鏡面で左右反転した画像とすることは言うまでもない。また、図１０（ｂ）に示すように、カメラ１０を傾けた場合の外観データも記憶しておけば、図５のように、傾けて配置されたカメラをも検出することが可能となる。
【００５４】
以上説明したように、本実施形態においては、カメラ自身の外観に関する情報を持ち、撮像部からの画像中に、カメラ自身の外観を検出した場合には、カメラ自身を撮影するに適したモードに切り換えている。このため、カメラ自身を撮影するにあたって、２台目のカメラを必要としない。
【００５５】
また、本実施形態においては、カメラ自身を検出した場合には、撮影画像の中からカメラ自身を抽出するようにしたので、カメラ以外の被写体が含まれている場合でも、カメラ自身の画像を容易に取得することができる。
【００５６】
さらに、本実施形態においては、カメラ自身を検出した場合には、撮影画像を左右反転処理している。このため、鏡１１に映しながら撮影することができ、あたかも別のカメラで直接撮影したような写真を得ることができる。さらに、本実施形態においては、カメラ自身を検出した場合には、撮影にあたって、セルフタイマモードに自動設定しているので、鏡１１等により反射光を心配する必要がない。
【００５７】
なお、本実施形態においては、カメラ１０を比較的鏡１１に近づけて操作及び撮影することが多いことから、撮影時には、ＡＦはマクロ域を重視した設定に移行するようにしてもよい。
【００５８】
また、本実施形態においては、鏡面反射した画像撮影の例だけを重点的に説明したが、もう一台のカメラで、装飾したカメラを撮影するときにも、対象となるカメラが中心になるようにトリミングしたり、対象となるカメラのピントや露出を優先する技術に応用することが可能であることは言うまでもない。
【００５９】
また、本実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）等に内蔵されるカメラでも構わない。
【００６０】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【００６１】
【図１】本発明の一実施形態に係わるカメラの電気回路を示すブロック図である。
【図２】本発明の一実施形態に係るカメラにおいて外観を装飾する様子を示す図であり、（ａ）は装飾を行っていない場合の正面図であり、（ｂ）はシールを添付した場合の正面図であり、（ｃ）は絵を描いた場合の正面図であり、（ｄ）はシールを添付した側面図である。
【図３】本発明の一実施形態に係わるカメラにおいて、カメラ自身を撮影する様子を示す図である。
【図４】本発明の一実施形態に係わるカメラにおいて正面からカメラ自身を撮影する様子を示す図である。
【図５】本発明の一実施形態に係わるカメラにおいて斜めからカメラ自身を撮影する様子を示す図である。
【図６】本発明の一実施形態に係わるカメラにおいて、撮影後の処理を示す図であり、（ａ）はカメラからＰＣに画像データを転送する様子を示す図であり、（ｂ）は２画像を並置した様子を示す図であり、（ｃ）はカメラ自身の部分をトリミングすることを説明する図である。
【図７】本発明の一実施形態に係わるカメラにおけるカメラ制御の動作を示すフローチャートである。
【図８】本発明の一実施形態に係わるカメラにおいて、特徴点を抽出し、類似画像を検索する様子を説明する図であり、（ａ）はカメラの外観を示し、（ｂ）（ｃ）はカメラの部分の外観の輪郭線を示し、（ｄ）（ｅ）は特徴点を示す。
【図９】本発明の一実施形態に係わるカメラにおいて、特徴点の分布を示す図である。
【図１０】本発明の一実施形態に係わるカメラにおいて、カメラの外観データを記憶する輪郭線の変形例を示し（ａ）は正面から見た場合の外観であり、（ｂ）は斜めから見た場合の外観である。
【符号の説明】
【００６２】
１・・・画像処理及び制御部、１ａ・・・比較判定部、１ｂ・・・トリミング部、２・・・撮像部、４・・・記録部、４ｂ・・・カメラ外観データ部、４ｃ・・・顔データ部、６・・・操作判定部、８・・・表示部、９・・・時計部、１０・・・カメラ、１０ａ・・・カメラの像、１０ｂ・・・カメラの像、１０ｂ・・・側面、１１・・・鏡、１２・・・通信部、１５・・・パーソナルコンピュータ（ＰＣ）、２１・・・レリーズ釦、２２・・・ストロボ、２３・・・撮影レンズ、２４・・・ズームレンズ光学系、２５・・・電池等収納部、２７・・・シール、２８・・・絵、２９・・・シール、３１・・・トリミング画像、３２・・・トリミング前画像、３３・・・画像、３３ａ・・・顔の部分、３３ｂ・・・部分
【図１】
2010124085.tif 000003
【図２】
2010124085.tif 000004
【図３】
2010124085.tif 000005
【図４】
2010124085.tif 000006
【図５】
2010124085.tif 000007
【図６】
2010124085.tif 000008
【図７】
2010124085.tif 000009
【図８】
2010124085.tif 000010
【図９】
2010124085.tif 000011
【図１０】
2010124085.tif 000012